(57)【特許請求の範囲】
【請求項１】
通常運行中に停電が発生した場合において、巻上モータに電源を供給して、かごを駆動させるための動作用蓄電池が設けられたエレベータの電源制御装置であって、
エレベータの保守作業中であるか否かを示す保守スイッチと、
前記保守スイッチが、前記エレベータの保守作業中であることを示している場合に、商用電源が停電したことを検出したときに、前記動作用蓄電池から前記巻上モータに電源を供給させる電源制御部と、
前記かご内に設けられて外部と通信するかご内通報部に対して、停電発生時に電源を供給する第１バッテリと、
かご上に設けられ、停電時に外部と通信するためのかご上通報部と、を備え、
前記電源制御部は、前記保守スイッチが、前記エレベータの保守作業中であることを示している場合に、商用電源が停電したことを検出したときに、前記第１バッテリから前記かご上通報部に電源を供給させる
エレベータの電源制御装置。
【請求項２】
前記エレベータの保守作業中に停電が発生したことを前記かご外に報知する報知部、をさらに備え、
前記電源制御部は、前記保守スイッチが、前記エレベータの保守作業中であることを示している場合に、商用電源が停電したことを検出したときに、前記第１バッテリから前記報知部に電源を供給させて、前記かご外に報知させる
請求項１に記載のエレベータの電源制御装置。
【請求項３】
前記かご内に設けられたかご内非常灯に対して、停電発生時に電源を供給する第２バッテリと、
かご上に設けられ、停電時に点灯するかご上非常灯と、をさらに備え、
前記電源制御部は、前記保守スイッチが、前記エレベータの保守作業中であることを示している場合に、商用電源が停電したことを検出したときに、前記第２バッテリから前記かご上非常灯に電源を供給させる
請求項１または請求項２に記載のエレベータの電源制御装置。
【請求項４】
通常運行中に停電が発生した場合において、巻上モータに電源を供給して、かごを駆動させるための動作用蓄電池が設けられたエレベータの電源制御装置であって、
エレベータの保守作業中であるか否かを示す保守スイッチと、
前記保守スイッチが、前記エレベータの保守作業中であることを示している場合に、商用電源が停電したことを検出したときに、前記動作用蓄電池から前記巻上モータに電源を供給させる電源制御部と、
前記かご内に設けられて外部と通信するかご内通報部に対して、停電発生時に電源を供給する第１バッテリと、
前記エレベータの保守作業中に停電が発生したことを前記かご外に報知する報知部と、を備え、
前記電源制御部は、前記保守スイッチが、前記エレベータの保守作業中であることを示している場合に、商用電源が停電したことを検出したときに、前記第１バッテリから前記報知部に電源を供給させて、前記かご外に報知させる
エレベータの電源制御装置。
【請求項５】
通常運行中に停電が発生した場合において、巻上モータに電源を供給して、かごを駆動させるための動作用蓄電池が設けられたエレベータの電源制御装置であって、
エレベータの保守作業中であるか否かを示す保守スイッチと、
前記保守スイッチが、前記エレベータの保守作業中であることを示している場合に、商用電源が停電したことを検出したときに、前記動作用蓄電池から前記巻上モータに電源を供給させる電源制御部と、
前記かご内に設けられたかご内非常灯に対して、停電発生時に電源を供給する第２バッテリと、
かご上に設けられ、停電時に点灯するかご上非常灯と、を備え、
前記電源制御部は、前記保守スイッチが、前記エレベータの保守作業中であることを示している場合に、商用電源が停電したことを検出したときに、前記第２バッテリから前記かご上非常灯に電源を供給させる
エレベータの電源制御装置。
【請求項６】
通常運行中に停電が発生した場合において、巻上モータに電源を供給して、かごを駆動させるための動作用蓄電池が設けられたエレベータの電源制御装置であって、
エレベータの保守作業中であるか否かを示す保守スイッチと、
前記保守スイッチが、前記エレベータの保守作業中であることを示している場合に、商用電源が停電したことを検出したときに、前記動作用蓄電池から前記巻上モータに電源を供給させる電源制御部と、
前記かご内に設けられて外部と通信するかご内通報部に対して、停電発生時に電源を供給する第１バッテリと、
前記エレベータの保守作業中に停電が発生したことを前記かご外に報知する報知部と、
前記かご内に設けられたかご内非常灯に対して、停電発生時に電源を供給する第２バッテリと、
かご上に設けられ、停電時に点灯するかご上非常灯と、を備え、
前記電源制御部は、前記保守スイッチが、前記エレベータの保守作業中であることを示している場合に、商用電源が停電したことを検出したときに、前記第１バッテリから前記報知部に電源を供給させて、前記かご外に報知させ、
前記電源制御部は、前記保守スイッチが、前記エレベータの保守作業中であることを示している場合に、商用電源が停電したことを検出したときに、前記第２バッテリから前記かご上非常灯に電源を供給させる
エレベータの電源制御装置。
【請求項７】
前記電源制御部は、前記保守スイッチが、前記エレベータの保守作業中であることを示している場合に、商用電源が停電したことを検出したときに、前記動作用蓄電池から前記かご上非常灯に電源を供給させる
請求項１、請求項２または請求項４に記載のエレベータの電源制御装置。
【請求項８】
前記電源制御部は、前記保守スイッチが、前記エレベータの保守作業中であることを示している場合に、商用電源が停電したことを検出したときに、前記動作用蓄電池から携帯電話充電用の電源を、前記かご上に供給させる
請求項１から請求項７までの何れか１項に記載のエレベータの電源制御装置。
【発明の詳細な説明】
【技術分野】
【０００１】
この発明は、エレベータの保守作業を考慮したエレベータの電源制御装置および電源制御方法に関する。
【背景技術】
【０００２】
従来、商用電灯電源が停電した場合に電源を供給する無停電電源装置と、商用電灯電源が停電した場合に点灯するかご上停電灯と、商用電灯電源が停電した場合に点灯するかご内停電灯と、自動運転モードから保守運転モードに切り換える運転モード切換動作と連動して無停電電源装置からの補償電源の供給先をかご内停電灯からかご上停電灯に切り換える切換スイッチとを備えたエレベータの停電時照明装置が知られている（例えば、特許文献１参照）。
【０００３】
また、近年のエレベータには、停電時にかごを最寄り階に自動的に着床させる自動着床装置が設けられており、通常運行中に停電が発生した場合において、自動着床装置に備えられた動作用蓄電池が、かごが最寄り階に着床するまでの電源を巻上モータに供給している。
【先行技術文献】
【特許文献】
【０００４】
【特許文献１】特開平１０−１７２２９号公報
【発明の概要】
【発明が解決しようとする課題】
【０００５】
しかしながら、従来技術には、以下のような課題がある。
すなわち、エレベータの保守作業中には、自動着床装置の機能を停止させているので、保守員がかご上やピットにいるときに停電が発生した場合に、照明は確保されるものの、エレベータを起動してかごを駆動させることができないという問題がある。
【０００６】
この発明は、上記のような課題を解決するためになされたものであり、エレベータの保守作業中に停電が発生した場合であっても、エレベータを起動してかごを駆動させることができるエレベータの電源制御装置および電源制御方法を得ることを目的とする。
【課題を解決するための手段】
【０００７】
この発明に係るエレベータの電源制御装置は、通常運行中に停電が発生した場合において、巻上モータに電源を供給して、かごを駆動させるための動作用蓄電池が設けられたエレベータの電源制御装置であって、エレベータの保守作業中であるか否かを示す保守スイッチと、保守スイッチが、エレベータの保守作業中であることを示している場合に、商用電源が停電したことを検出したときに、動作用蓄電池から巻上モータに電源を供給させる電源制御部と、かご内に設けられて外部と通信するかご内通報部に対して、停電発生時に電源を供給する第１バッテリと、かご上に設けられ、停電時に外部と通信するためのかご上通報部と、を備え、電源制御部は、保守スイッチが、エレベータの保守作業中であることを示している場合に、商用電源が停電したことを検出したときに、第１バッテリからかご上通報部に電源を供給させるものである。
【発明の効果】
【０００９】
この発明に係るエレベータの電源制御装置によれば、電源制御部は、エレベータの保守作業中であるか否かを示す保守スイッチが、エレベータの保守作業中であることを示している場合に、商用電源が停電したことを検出したときに、動作用蓄電池から巻上モータに電源を供給させる。
また、この発明に係るエレベータの電源制御方法によれば、エレベータの保守作業中であることを検出するステップと、商用電源が停電したことを検出するステップと、エレベータの保守作業中であることを示している場合に、商用電源が停電したときに、動作用蓄電池から巻上モータに電源を供給させるステップとを有する。
そのため、エレベータの保守作業中に停電が発生した場合であっても、エレベータを起動してかごを駆動させることができるエレベータの電源制御装置および電源制御方法を得ることができる。
【図面の簡単な説明】
【００１０】
【図１】この発明の実施の形態１に係るエレベータの電源制御装置を含むシステム全体を示すブロック構成図である。
【図２】この発明の実施の形態１に係るエレベータの電源制御装置における電源制御部の動作を示すフローチャートである。
【発明を実施するための形態】
【００１１】
以下、この発明に係るエレベータの電源制御装置および電源制御方法の好適な実施の形態につき図面を用いて説明するが、各図において同一、または相当する部分については、同一符号を付して説明する。
【００１２】
実施の形態１．
図１は、この発明の実施の形態１に係るエレベータの電源制御装置を含むシステム全体を示すブロック構成図である。図１において、このエレベータの電源制御装置は、動作用蓄電池１１、保守スイッチ１２、第１バッテリ１３、第２バッテリ１４、巻上モータ２１、かご上通報部２２、スピーカ（報知部）２３、かご上非常灯２４および電源制御部３０を備えている。
【００１３】
ここで、動作用蓄電池１１、電源制御部３０および巻上モータ２１は、エレベータの機械室に設けられている。また、保守スイッチ１２、かご上通報部２２およびかご上非常灯２４は、かご（図示せず）上に設けられている。また、第１バッテリ１３および第２バッテリ１４は、かごの外部に設けられ、スピーカ２３は、かご内に設けられている。なお、電源制御部３０は、エレベータの制御盤に内蔵されてもよい。
【００１４】
動作用蓄電池１１は、停電時にかごを最寄り階に自動的に着床させる自動着床装置を構成し、通常運行中に停電が発生した場合において、かごが最寄り階に着床するまでの電源を巻上モータ２１に供給している。これにより、かごが駆動される。
【００１５】
保守スイッチ１２は、例えば運転スイッチ、自動手動スイッチおよびドア自動開閉スイッチから構成され、エレベータの保守作業中（保守作業モード）であるか否かを示す。具体的には、例えば運転スイッチが停止に切り替えられ、自動手動スイッチが手動に切り替えられ、ドア自動開閉スイッチがオフに切り替えられている場合に、保守作業モードであると判断される。
【００１６】
第１バッテリ１３は、かご内に設けられて外部と通信するかご内通報部（図示せず）に対して、停電発生時に電源を供給する。第２バッテリ１４は、かご内に設けられたかご内非常灯（図示せず）に対して、停電発生時に電源を供給する。ここで、第１バッテリ１３および第２バッテリ１４は、巻上モータ２１を駆動する動作用蓄電池１１よりも大幅に容量の小さいバッテリである。
【００１７】
かご上通報部２２は、停電時に外部と通信するための機器であり、ヘッドホンとマイクとを有している。なお、かご上通報部２２は、保守スイッチ１２が切り替えられ、保守作業モードとなった場合に、使用可能になる。スピーカ２３は、エレベータの保守作業中に停電が発生したことをかご外に報知する。また、かご上非常灯２４は、停電時に点灯し、例えばかご上通報部２２を含む周囲を照らす。ここで、スピーカ２３は、機械室に設けられてもよい。
【００１８】
電源制御部３０は、保守スイッチ１２が、保守作業モードであることを示している場合に、図示しない商用電源（例えば、交流１００Ｖ）が停電したことを検出したときに、動作用蓄電池１１から巻上モータ２１に電源を供給させる。ここで、電源制御部３０は、商用電源の供給がとぎれた場合に、停電したと検出する。
【００１９】
動作用蓄電池１１から巻上モータ２１に電源を供給することにより、例えばブレーキに制動をかけながら、手動で移動させるよりもゆっくりした速度でかごを動かすことができる。すなわち、エレベータの保守作業中に停電が発生した場合であっても、かご上からエレベータを起動してかごを駆動させることができる。このとき、例えばスピーカ２３から警報音を鳴らしてもよいし、かごが例えば数秒程度の所定時間移動すると、かごを停止する等の制限をかけてもよい。
【００２０】
また、電源制御部３０は、保守作業モードであることを示している場合に、商用電源が停電したことを検出したときに、第１バッテリ１３からかご上通報部２２に電源を供給させる。このとき、電源制御部３０は、第１バッテリ１３からスピーカ２３に電源を供給させて、かご外に報知させてもよい。
【００２１】
また、電源制御部３０は、保守作業モードであることを示している場合に、商用電源が停電したことを検出したときに、第２バッテリ１４からかご上非常灯２４に電源を供給させる。
【００２２】
さらに、電源制御部３０は、保守作業モードであることを示している場合に、商用電源が停電したことを検出したときに、第２バッテリ１４からかご上非常灯２４に電源を供給させた後、または第２バッテリ１４からかご上非常灯２４に電源を供給させることに代えて、動作用蓄電池１１からかご上非常灯２４に電源を供給させてもよい。
【００２３】
また、電源制御部３０は、保守作業モードであることを示している場合に、商用電源が停電したことを検出したときに、動作用蓄電池１１から携帯電話充電用の電源を、かご上に供給せさる。
【００２４】
ここで、図２のフローチャートを参照しながら、電源制御部３０の動作について詳細に説明する。図２は、この発明の実施の形態１に係るエレベータの電源制御装置における電源制御部３０の動作を示すフローチャートである。なお、図２の処理は、保守作業モードにおいて、停電が発生した場合に、動作用蓄電池１１から巻上モータ２１に電源を供給しない場合の動作を示している。また、図２の処理は、所定の周期で繰り返し実行される。
【００２５】
まず、電源制御部３０は、保守スイッチ１２が切り替えられ、保守作業モードとなったことを検出する（ステップＳ１）。ここで、上述したように、運転スイッチが停止に切り替えられ、自動手動スイッチが手動に切り替えられ、ドア自動開閉スイッチがオフに切り替えられている場合に、保守作業モードとなっている。
【００２６】
続いて、電源制御部３０は、第２バッテリ１４の電源の供給先を、かご内非常灯からかご上非常灯２４に切り替える（ステップＳ２）。なお、ここではまだかご上非常灯２４は、点灯させない。
【００２７】
次に、電源制御部３０は、停電が発生したか否かを判定する（ステップＳ３）。ここで、上述したように、電源制御部３０は、商用電源の供給がとぎれた場合に、停電したと判定する。
【００２８】
ステップＳ３において、停電が発生した（すなわち、Ｙｅｓ）と判定された場合には、電源制御部３０は、第２バッテリ１４からかご上非常灯２４に電源を供給させて、かご上非常灯２４を点灯させる（ステップＳ４）。これにより、かご上の照明を確保することができる。
【００２９】
続いて、電源制御部３０は、第１バッテリ１３からかご上通報部２２に電源を供給させて、外部と通信する（ステップＳ５）。具体的には、保守員が、かご上通報部２２を用いて、かご外の客や建物の管理室に対して、または遠隔監視装置により情報センタに対して、エレベータの保守作業中に停電が発生したことを通知する。これにより、かご上から外部と通信することができ、保守員の安全確保および早期救出を実現することができる。
【００３０】
なお、かご上通報部２２が設けられていない場合や、かご上通報部２２を設けることに制約がある場合には、電源制御部３０は、スピーカ２３を介して、例えばかご外に「保守作業中に停電しました。保守会社に連絡してください。」等のアナウンスを流す。また、電源制御部３０は、例えば「保守作業中に停電しました。」等のメッセージを情報センタに送信してもよい。これにより、かご上から外部と通信することができ、保守員の安全確保および早期救出を実現することができる。
【００３１】
次に、電源制御部３０は、例えば任意に設定される所定時間にわたって、第２バッテリ１４からかご上非常灯２４に電源を供給させた後、動作用蓄電池１１からかご上非常灯２４に電源を供給させて（ステップＳ６）、図２の処理を終了する。ここで、動作用蓄電池１１は、第２バッテリ１４と比較して、十分に大きな容量を有しているので、長時間にわたって、かご上の照明を確保することができる。
【００３２】
なお、電源制御部３０は、動作用蓄電池１１から携帯電話充電用の電源を、かご上に供給せさてもよい。これにより、携帯電話のバッテリ切れを防止することができる。具体的には、かご上に携帯電話の充電用のコネクタを設けることが考えられる。
【００３３】
一方、ステップＳ３において、停電が発生していない（すなわち、Ｎｏ）と判定された場合には、そのまま図２の処理を終了する。
【００３４】
以上のように、実施の形態１によれば、電源制御部は、エレベータの保守作業中であるか否かを示す保守スイッチが、エレベータの保守作業中であることを示している場合に、商用電源が停電したことを検出したときに、動作用蓄電池から巻上モータに電源を供給させる。
そのため、エレベータの保守作業中に停電が発生した場合であっても、エレベータを起動してかごを駆動させることができるエレベータの電源制御装置および電源制御方法を得ることができる。
【符号の説明】
【００３５】
１１  動作用蓄電池、１２  保守スイッチ、１３  第１バッテリ、１４  第２バッテリ、２１  巻上モータ、２２  かご上通報部、２３  スピーカ（報知部）、２４  かご上非常灯、３０  電源制御部。
【図１】
0005995820.tif 000002
【図２】
0005995820.tif 000003